(57)【要約】【課題】  ネットワークの同一又は異なるセル内の局間干渉は、重大な問題を引き起こし得る。ネットワークにおける中継局の使用は、干渉問題を複雑化し得る。【解決手段】  無線ネットワークの１つ以上の局で干渉レベルが生じる。ここで各局は基地局又は中継局である。測定された干渉レベルは、１つ以上の局のそれぞれで生じる雑音干渉を有する第１のマトリックスを構築することによりマッピングされる。また各中継局によりそれぞれ所定時間にスケジュールされた送信は、第２のマトリックスを構築することによりマッピングされる。各中継局により各基地局に与えられる干渉雑音の影響を決定するため、第１及び第２のマトリックスは乗算される。従ってネットワークの帯域効率を向上するために、ネットワーク・スケジュールが生成され得る。【選択図】  図２
2008118660.tif 000002
【特許請求の範囲】
【請求項１】
方法であって、
無線ネットワークのセル・クラスター内の１つ以上の局のそれぞれは基地局又は中継局であり、前記１つ以上の局で生じる干渉レベルを測定する段階、
前記１つ以上の局のそれぞれで生じる干渉雑音を有する第１のマトリックスを構築することにより、測定した干渉レベルをマッピングする段階、
第２のマトリックスを構築することにより、各中継局によりそれぞれ所定時間にスケジュールされた送信をマッピングする段階、及び
種々の時間で前記第１のマトリックスを前記第２のマトリックスで乗算することにより、各中継局により各基地局に与えられる干渉雑音の影響を決定する段階、を有する方法。
【請求項２】
前記ネットワークは、電気電子技術者協会（ＩＥＥＥ）８０２．１６直交周波数分割多元接続（ＯＦＤＭＡ）システムである、請求項１記載の方法。
【請求項３】
前記測定する段階は、
管理モードをスケジュールする段階、
１つ以上の局から個々のネットワーク干渉マッピング・パターンを送信する段階、
送信されたマッピング・パターンを受信すると、送信されたマッピング・パターンのそれぞれのバースト・パワーを測定する段階、
個々の局により送信されたバースト・パワーの測定に基づき、マッピング・パターンを送信する１つ以上の局のそれぞれで生じる干渉レベルを決定する段階、を有する、請求項１記載の方法。
【請求項４】
前記ネットワーク干渉マッピング・パターンは、一定パワーを使用して送信される、請求項３記載の方法。
【請求項５】
前記管理モードは、所定の間隔でスケジュールされる、請求項３記載の方法。
【請求項６】
前記１つ以上の局のそれぞれで生じる測定された干渉レベルは、個々の平均バースト・パワーに基づき決定される、請求項３記載の方法。
【請求項７】
各ネットワーク干渉マッピング・パターンは、所定の周波数帯の１つのシンボルに定められ、及び
ネットワーク干渉マッピング・パターンを送信する各局は、固有の周波数帯を使用する、請求項３記載の方法。
【請求項８】
バースト・パワーの測定は、１つ以上の基地局又は１つ以上の上位中継局により実行される、請求項３記載の方法。
【請求項９】
装置であって、
無線ネットワークの１つ以上の局のそれぞれは基地局又は中継局であり、前記１つ以上の局で生じる干渉レベルを測定する手段、
前記１つ以上の局のそれぞれで生じる干渉雑音を有する第１のマトリックスを構築することにより、測定した干渉レベルをマッピングする手段、
第２のマトリックスを構築することにより、各中継局によりそれぞれ所定時間にスケジュールされた送信をマッピングする手段、及び
前記第１のマトリックスを前記第２のマトリックスで乗算することにより、各中継局により各基地局に与えられる干渉雑音の影響を決定する手段、を有する装置。
【請求項１０】
システムであって、電気電子技術者協会（ＩＥＥＥ）８０２．１６ネットワークの干渉レベルに基づき再使用グループを生成し、前記システムは、
管理モードをスケジュールする手段、
１つ以上の局から個々のネットワーク干渉マッピング・パターンを送信する手段、
送信されたマッピング・パターンを受信すると、送信されたマッピング・パターンのそれぞれのバースト・パワーを測定する手段、
個々の測定されたバースト・パワーに基づき、マッピング・パターンを送信する前記１つ以上の局のそれぞれで生じる干渉レベルを決定する手段、
前記１つ以上の局のそれぞれで生じる干渉雑音を有する第１のマトリックスを構築することにより、決定された干渉レベルをマッピングする手段、
第２のマトリックスを構築することにより、各中継局により所定時間にスケジュールされた送信をマッピングする手段、
前記第１のマトリックスを前記第２のマトリックスで乗算することにより、各中継局により各基地局に与えられる干渉雑音の影響を決定する手段、及び
決定された干渉雑音の影響に基づき、ネットワーク管理エンティティにより、ネットワーク・スケジュールを生成する手段、を有し、
前記測定、第１のマトリックスの構築によるマッピング、第２のマトリックスの構築によるマッピング、及び決定は、別のセル・クラスター内の１つ以上の局により引き起こされる、セル・クラスター内の１つ以上の局で生じる干渉レベルに対し繰り返される、システム。
【発明の詳細な説明】
【技術分野】
【０００１】
本出願は、米国特許仮出願第６０／８６４４９１、名称「ＮＴＥＲＦＥＲＥＮＣＥ  ＭＡＰＰＩＮＧ  ＰＲＯＣＥＤＵＲＥ  ＦＯＲ  ＯＦＤＭＡ  ＮＥＴＷＯＲＫＳ  ＵＳＩＮＧ  ＲＥＬＡＹ  ＳＴＡＴＩＯＮＳ」、２００６年１１月６日出願、発明者Ｃｈｅｎｘｉ  Ｚｈｕ、Ｄｏｒｉｎ  Ｖｉｏｒｅｌ、Ｊａｇａｎ  Ｓｅｓｈａｄｒｉ、Ｊｏｎａｔｈａｎ  Ａｇｒｅ、Ｗｅｉ−Ｐｅｎｇ  Ｃｈｅｎ、代理人管理番号１９７４．１００７Ｐに基づき、当該出願の利益を請求する。当該出願は、参照されることにより本願明細書に組み込まれる。
【０００２】
更に本出願は、米国特許仮出願第６０／８９１０９６、名称「ＮＴＥＲＦＥＲＥＮＣＥ  ＭＡＰＰＩＮＧ  ＰＲＯＣＥＤＵＲＥ  ＦＯＲ  ＯＦＤＭＡ  ＮＥＴＷＯＲＫＳ  ＵＳＩＮＧ  ＲＥＬＡＹ  ＳＴＡＴＩＯＮＳ」、２００７年２月２２日出願、発明者Ｃｈｅｎｘｉ  Ｚｈｕ、Ｄｏｒｉｎ  Ｖｉｏｒｅｌ、Ｊａｇａｎ  Ｓｅｓｈａｄｒｉ、Ｊｏｎａｔｈａｎ  Ａｇｒｅ、Ｗｅｉ−Ｐｅｎｇ  Ｃｈｅｎ、代理人管理番号１９７４．１０２０Ｐに基づき、当該出願の利益を請求する。当該出願は、参照されることにより本願明細書に組み込まれる。
【背景技術】
【０００３】
無線通信ネットワークは益々普及してきている。無線通信ネットワークは一般に基地局の周囲に位置するセル領域にサービスを提供する基地局を有する。移動局（携帯電話など）を有する加入者局は、移動局が（セル領域のような）基地局のサービス領域内にある場合に基地局と通信可能である。
【発明の開示】
【発明が解決しようとする課題】
【０００４】
ネットワークの同一又は異なるセル内の局間干渉は、重大な問題を引き起こし得る。ネットワークにおける中継局の使用は、干渉問題を複雑化し得る。
【課題を解決するための手段】
【０００５】
本発明の種々の実施例は、方法及び装置を提供する。前記方法及び装置は、（ａ）無線ネットワークのセル・クラスター内の１つ以上の局のそれぞれは基地局又は中継局であり、前記１つ以上の局で生じる干渉レベルを測定し、（ｂ）前記１つ以上の局のそれぞれで生じる干渉雑音を有する第１のマトリックスを構築することにより、測定した干渉レベルをマッピングし、（ｃ）第２のマトリックスを構築することにより、各中継局によりそれぞれ所定時間にスケジュールされた送信をマッピングし、及び（ｄ）種々の時間点で前記第１のマトリックスを前記第２のマトリックスで乗算することにより、各中継局により各基地局に与えられる干渉雑音の影響を決定する。
【０００６】
本発明の種々の実施例は、方法及び装置を提供する。前記方法及び装置は、（ａ）電気電子技術者協会（ＩＥＥＥ）８０２．１６直交周波数分割多元接続（ＯＦＤＭＡ）システムの１つ以上の局それぞれは基地局又は中継局であり、前記１つ以上の局で生じる干渉レベルを測定し、（ｂ）前記１つ以上の局のそれぞれで生じる干渉雑音を有する第１のマトリックスを構築することにより、測定した干渉レベルをマッピングし、（ｃ）第２のマトリックスを構築することにより、各中継局によりそれぞれ所定時間にスケジュールされた送信をマッピングし、及び（ｄ）前記第１のマトリックスを前記第２のマトリックスで乗算することにより、各中継局により各基地局に与えられる干渉雑音の影響を決定する。これにより、本発明の種々の実施例は、決定された干渉雑音の影響に基づき、ネットワーク・スケジュールを生成することが可能である。
【０００７】
本発明の以上の実施例は単なる例であり、本発明の全ての実施例はこれらの例又は本出願の課題を解決するための手段に記載された全ての特徴に限定されない。
【０００８】
本発明の更なる特徴は、以下の記載で部分的に説明され、また部分的に当該記載から明らかであり、又は本発明の実施により教示される。
【発明を実施するための最良の形態】
【０００９】
本発明の現在の好適な実施例の詳細を参照する。当該例は添付の図面に図示され、図を通じて同様の要素に同様の参照符号が付される。
【００１０】
無線通信ネットワークでは、建物及び送信／受信アンテナ間の他の障害物による妨害から生じるシャドウイングのような影響により、サービス領域内にあるにも拘わらず基地局との通信が不可能な不感帯が存在する。この問題に対抗するため、例えば直交周波数分割多元接続（ＯＦＤＭＡ）ネットワークのような無線ネットワークでは、ネットワークで動作する移動局と基地局との間の中間物として動作することにより送信能力を強化するため、中継局が利用され得る。この方法では、セルサービス領域内の基地局と直接に接続できない移動局は、当該基地局との直接リンク、又は場合によっては追加中継局を通じる間接リンクを有する中継局と最初に通信することにより、当該基地局と間接的に接続して良い。
【００１１】
しかしながら、基地局及び中継局の追加により、より大きいレベルの干渉がネットワークで生成されるという問題が生じる。ネットワーク間干渉の増大は影響を受けるリンクの搬送波対干渉雑音比（ＣＩＮＲ）を悪化させるので、現行の送信を適正にスケジュールし干渉レベルを軽減することは、当該リンクのサービス品質（ＱｏＳ）に直接に影響を与える。
【００１２】
従って、ネットワーク・エンティティ・スケジュール・アルゴリズムは、無線ネットワーク（例えばＯＦＤＭＡネットワーク）で動作する異なる局（基地局又は中継局の何れか）の間のネットワーク間干渉を最小化するよう決定され、それによりＣＩＮＲの悪化を最適化し、及び従って影響されるリンクでより高い符号化レートを使用可能にし得る。
【００１３】
図１は、ＩＥＥＥ８０２．１６規格に従うＯＦＤＭＡネットワークで動作する基地局と中継局とを有する無線ネットワーク・トポロジーの「ハニカム」・セル・クラスター１００の例を図示する。セル・クラスター１００は、セル・クラスター１００の範囲内に複数の中継局（ＲＳ０１−ＲＳ２１）及び複数の基地局（ＢＳ０１−ＢＳ０７）を有する。この例であるトポロジーは、ネットワーク・セルの１つの可能性を示すことを目的とする。及び本発明の実施例は如何なる特定のトポロジーにも限定されない。例えば、本発明の実施例は、図１に示される特定の構成の特定数の基地局及び／又は中継局又はハニカム・セル・クラスターを備えたネットワークに、又は図１に示された特定数のセルを有するハニカムに限定されない。
【００１４】
図１の特定の例では、ＲＳ０４は、種々の局で生じる干渉レベルをマッピングするために使用されるネットワーク干渉マッピング・パターン（以下に詳細に記載される）を全ての基地局ＢＳ０１−ＢＳ０７へ送信するよう示される。勿論、図１に示された送信は単なる説明のための例であり、本発明はネットワーク干渉マッピング・パターン又は他の如何なる送信を送信又は受信する局に限定されない。
【００１５】
本発明の種々の実施例は、固定再使用パターンを仮定する。つまり、基地局及び中継局は固定位置にあり、及び各送信機（基地局又は中継局の何れか）はネットワーク管理エンティティ（示されない）により割り当てられた固定パワーで送信すると仮定する。しかしながら、本発明は固定再使用パターン及び固定中継局に限定されない。
【００１６】
図２は、本発明の実施例による、無線ネットワークの１つ以上の局で生じる干渉レベルを測定し、第１及び第２のマトリックスを構築することにより、当該干渉レベル及び中継局にスケジュールされた送信をマッピングし、並びに各中継局により各基地局に与えられる干渉雑音の影響を決定する、方法のフローチャートを示す。図２を参照する。動作２００で、無線ネットワークの１つ以上の局で生じる干渉レベルが測定される。ここで各局は基地局又は中継局の何れかである。動作２００の詳細は、図３を参照し以下に更に述べられる。
【００１７】
図３に示された干渉レベル測定動作２００を参照する。動作３００で、局の干渉レベルを測定するために管理モードがスケジュールされる。例えば、干渉レベル測定モードは、実装時固有のネットワーク干渉マッピング・パターンが例えば一定ＲＦパワーを使用して局から送信されるある種の管理動作である。
【００１８】
次に、処理は動作３００から動作３１０へ進む。動作３１０では、干渉マッピング・パターンが局から送信される。例として、干渉測定の対象であるセル・クラスター内の各中継局は、同一の上り回線（ＵＬ）フレーム内で、例えば特定ＵＬ音シーケンスに基づき特定のＵＬ干渉パターンを送信する。ＵＬ干渉パターンを受信すると、セル・クラスター内の全ての局は、例えば受信したＵＬ干渉パターンのバースト雑音パワー測定を実行する。勿論、本発明は、如何なる特定ＵＬ音シーケンスに基づく如何なる特定のＵＬ干渉パターン、又は如何なる特定のバースト雑音パワー測定を実行する局にも限定されない。
【００１９】
あるＵＬ音バーストは、例えば１８個の副搬送波を有して良い。この値に基づき、以下のＵＬ干渉音パターンの最大数は、セクター及びセル毎に使用され得る。ここで、ＵＬ干渉音パターンの最大数は、アルゴリズムが監視し得る中継局の最大数を表す。またセル毎の平均は、セル・クラスターに対し、例えば干渉測定のために完全に割り当てられた１０シンボルの中継局ＵＬ中継ゾーンを利用して監視され得る中継局の平均数を表す。
【００２０】
【表１】
2008118660.tif 000003
【００２１】
例えば、（異なるセルに渡り）不同期パワー測定を可能にするため、１つの無音シンボルは、１つのシンボルＵＬ干渉音パターンに続いて良い。勿論、本発明は、実行されたバースト・パワー測定に含まれる任意の特定の測定に限定されない。
【００２２】
図４を参照する。セル・クラスター内にあるセルで動作する３個の異なる中継局を表す複数の中継局、つまりＲＳｋ、ＲＳｋ＋１、ＲＳｋ＋２から送信されたＵＬ干渉音パターンの部分の例である。留意すべき点は、本発明が所与のセル又はセル・クラスター内にある如何なる特定数の中継局又は基地局にも限定されないことである。特定点ｔ０で、中継局は個々のＵＬ干渉音パターンを異なる周波数で送信し始める。音パターンは重ならず、及びセル・クラスター内で、各中継局は例えば１８個の連続する副搬送波のうち固有の周波数帯を使用する。図４に示された例では、各中継局は３つの周波数セグメント（ａ）、（ｂ）、及び（ｃ）で送信可能である。この例では、各中継局は、周波数セグメント（ａ）内の異なる周波数帯を使用して音パターンを送信する。しかしながら、留意すべき点は、中継局が同一の周波数セグメントを使用する必要がなく、また各局が異なる周波数セグメントで音パターンを送信し得ることである。
【００２３】
この例では、ＲＳｋにより生成されたパターンにより示されるように、伝搬時間によりセル・クラスター内の種々のセルに渡り不同期パワー測定を可能にするため、１つのシンボル送信１０の後に１つの無音シンボル２０が続く。本発明は、如何なる特定数のシンボル１０及び無音シンボル２０の対にも限定されない。また対象となる対の数は、測定に関与する中継局の数に依存して増大し得る。更に、上述のＵＬ干渉パターンは単に１つの例であり、当業者は種々の音パターン及び音パターンを送信する方法が本発明の原理から逸脱することなく利用され得ることを理解するだろう。
【００２４】
再び図３を参照する。処理は動作３１０から動作３２０へ進む。動作３２０では、送信されたマッピング・パターンのバースト・パワーが測定される。例えば、局により実行されるバースト・パワー測定は実装時固有であり、例えば受信信号強度表示（ＲＳＳＩ）測定、又は例えば搬送波レベル対干渉雑音比（ＣＩＮＲ）測定を有して良い。これらのバースト・パワー測定は、例えばＵＬ干渉パターンを送信する局と受信する局との間の干渉経路と調和する。留意すべき点は、バースト・パワーの測定が、１つ以上の基地局又は１つ以上の上位中継局で生じて良いことである。
【００２５】
処理は動作３２０から動作３３０へ進む。動作３３０では、ネットワーク管理エンティティは、測定されたバースト・パワーに基づき、各局で生じる干渉レベルを決定する。本発明の種々の実施例によると、ネットワーク干渉マッピング・パターンは、例えばネットワーク管理エンティティにより周期的にスケジュールされる。例えば、各基地局は、各局から受信したバースト・パワー測定を平均し、そして平均された測定をネットワーク管理エンティティへ送信し干渉マトリックスを生成する。しかしながら、本発明は、ネットワーク干渉マッピングの周期的スケジュール、又は如何なる特定種類の計算に限定されない。
【００２６】
再び図２を参照する。処理は動作２００から動作２１０へ進む。動作２１０では、測定された干渉レベルは、１つ以上の局のそれぞれで生じる干渉雑音を有する第１のマトリックスを構築することによりマッピングされる。
【００２７】
例えば、ネットワーク管理エンティティ（示されない）は、例えば干渉マッピングの対象であるセル・クラスター内に位置する異なる局により実行された干渉雑音測定に基づきマッピングされた干渉マトリックスを生成する。つまり、干渉マトリックスは、各局によりそれぞれ他の局に対し生成された干渉雑音を有する。
【００２８】
以下に示される例である干渉マトリックス（ＩＮＴ）は、それぞれ他の局に対し各局により引き起こされた干渉雑音をマッピングする。この例に示されるように、ＮＩｉ，ｊは局「ｊ」に対し局「ｉ」により引き起こされた干渉（Ｉ）雑音（Ｎ）を表す。局の電位の異なる送信パワーのため、結果は必ずしも対称ではない。しかしながら、各送信機は固定パワーで送信すると仮定される。この例は、正方Ｙ×Ｙマトリックスを示すが、当該マトリックスはＹ×Ｍマトリックスでも良い。
【００２９】
【数１】
2008118660.tif 000004
【００３０】
本発明は干渉レベルをマッピングするこの特定の方法に限定されず、干渉レベルをマッピングする他の方法も実施され得る。より詳細には、本発明は、上述のような干渉マトリックスの推定による干渉レベルのマッピングに限定されない。
【００３１】
処理は動作２１０から動作２２０へ進む。動作２２０では、各中継局により所定の時間にスケジュールされた送信はそれぞれ、第２のマトリックスを構築することによりマッピングされる。所定の時間は、例えばネットワーク管理エンティティにより決定されて良い。
【００３２】
第２のマトリックスＲＳ（ｔ）は、ＲＳａ，ｂにより示される異なる時間点に中継局によりスケジュールされた送信を有する。ここでａは中継局番号であり、ｂは干渉が生じる時間である。マトリックスＲＳ（ｔ）の例を以下に示す。
【００３３】
【数２】
2008118660.tif 000005
【００３４】
この例は、正方Ｙ×Ｙマトリックスを示すが、当該マトリックスはＹ×Ｍマトリックスでも良い。更に本発明は中継局をマッピングするこの特定の方法に限定されず、本発明の範囲内で他のマッピング方法も実施され得る。
【００３５】
処理は動作２２０から動作２３０へ進む。動作２３０では、第１及び第２のマトリックスは、異なる時間点において各中継局により各基地局に与えられる雑音干渉の影響を決定するため、乗算される。
【００３６】
所与の時間ｔにおいて全ての中継局が所与の基地局に与える影響を計算するため、以下の式が実行される。ここでＳＣＨ（ｔ）は、同一のセル・クラスター内に位置する中継局による同一のクラスター内の既存の基地局に対するＣＩＮＲの悪化を表す。
【００３７】
【数３】
2008118660.tif 000006
【００３８】
図５は、本発明の実施例による、別のセル・クラスターを定め、測定、マッピング及び決定手順を繰り返す方法のフローチャートを示す。図５を参照する。動作４００で、無線ネットワーク内の別のセル・クラスターが定められる。元のセル・クラスター、例えばセル・クラスター段１内のみの干渉レベルの測定は、ネットワーク内の全ての局の間の全ての干渉作用を適正にマッピングするには十分でないかも知れない。つまり、干渉作用は、所与の瞬間における分析中に元のセル・クラスター段１とセル・クラスター段２との間に現れ、セル・クラスター段１内の局における干渉レベルに影響を与え得る。
【００３９】
処理は動作４００から動作４１０へ進む。動作４１０では、測定、第１のマトリックスの構築によるマッピング、第２のマトリックスの構築によるマッピング、及び動作の決定（図２を参照）が、セル・クラスター段２内の局に対し繰り返される。結果として、測定、マッピング及び決定手順は、セル・クラスター１＋２段に対し完了し得る。
【００４０】
勿論、図５の処理は、無線ネットワークの全てのクラスター内の全ての局における干渉レベルの測定及びマッピング処理の１つの例である。本発明は図５の特定の例に限定されない。例えば、本発明は図５の特定の動作のそれぞれを有することに限定されない。更に、実施され得る、図５の特定の動作の種々の変形が存在する。
【００４１】
例えば、決定された所与の時間期間の後、ネットワーク管理エンティティにより、セルのグループの新たな段１及び段２が定められて良い。例えば、図６は本発明の実施例による、全てのセルが測定、マッピング及び決定手順を行うよう、無線ネットワーク・トポロジーで新たに定められたハニカム・セル・クラスターを示す図である。この例であるトポロジーは、ネットワーク・セル・クラスター（つまりハニカム・クラスター）の１つの可能性を示すことを目的とする。及び本発明の実施例は如何なる特定のトポロジーにも限定されない。
【００４２】
図６を参照する。参照符号５００（ａ）−５００（ｆ）は、所与の時間において測定、マッピング、決定処理の対象であるクラスターとして影付きクラスターを備えた無線ネットワークの全てのセルを示す。図６の例に示されるように、クラスター段１は５００（ａ）に定められ、そして新たなクラスターが５００（ｂ）−５００（ｆ）に示されるように順次定められる。この例に示されるように、影付きクラスターのいくつかのセルは、前の及び／又は次の影付きクラスターに含まれる。従って、別のクラスター内の１つ以上の局によりクラスター内の各局に与えられる干渉雑音の影響が測定され得る。
【００４３】
この例によると、全てのセル・クラスターは、６個のフレームに効率的にマッピングされて良い。例として５ｍｓのフレーム期間を検討すると、段１＋２全体の干渉マッピングに割り当てられた合計時間は３０ｍｓになる。勿論、本発明は特定のフレーム期間に限定されず、合計時間は、ネットワークの輻輳に依存して６個の連続するフレームに又は（時間の連続しない）別個のフレームにも割り当てられ得る。換言すると、測定は、ネットワークの輻輳の少ない時間フレームの間にネットワーク管理エンティティにより周期的にスケジュールされ得る。更に、１つのマッピング手順は十分に正確でないかも知れないので、測定は繰り返されそして例えばネットワーク管理エンティティにより決定された所定時間に亘り平均されて良い。
【００４４】
更なる例として、前述のアルゴリズムの３０ｍｓ以内の全体の干渉マッピング能力は、以下の表により与えられる。
【００４５】
【表２】
2008118660.tif 000007
【００４６】
各中継局により各基地局に与えられる干渉雑音の影響を決定した結果として、ネットワーク管理エンティティは、エンティティ（基地局又は中継局の何れか）間の干渉が軽減されるよう、リアルタイムでネットワーク・スケジュールを生成する。帯域は、例えば最大数の基地局及び中継局を有する個々の再使用セットに資源を割り当て、一方で例えば所定の閾干渉レベルより下の累積送信レベルを維持することにより、再使用パターンを使用して効率的に割り当てられ得る。
干渉の影響を使用して送信をスケジュールする例は、名称「ＲＥＵＳＥ  ＰＡＴＴＥＲＮ  ＮＥＴＷＯＲＫ  ＳＣＨＥＤＵＬＩＮＧ  ＡＬＧＯＲＩＴＨＭ  ＦＯＲ  ＯＦＤＭＡ  ＮＥＴＷＯＲＫＳ  ＵＳＩＮＧ  ＲＥＬＡＹ  ＳＴＡＴＩＯＮＳ」、米国特許出願番号６０／８６４４９８、２００６年１１月６日出願、発明者Ｃｈｅｎｘｉ  Ｚｈｕ、Ｄｏｒｉｎ  Ｖｉｏｒｅｌ、Ｊａｇａｎ  Ｓｅｓｈａｄｒｉ、Ｊｏｎａｔｈａｎ  Ａｇｒｅ、Ｗｅｉ−Ｐｅｎｇ  Ｃｈｅｎ、代理人管理番号１９７４。１００９Ｐ、である米国仮出願、及び名称「ＲＥＵＳＥ  ＰＡＴＴＥＲＮ  ＮＥＴＷＯＲＫ  ＳＣＨＥＤＵＬＩＮＧ  ＵＳＩＮＧ  ＩＮＴＥＲＦＥＲＥＮＣＥ  ＬＥＶＥＬＳ」、本願明細書と同日出願、発明者Ｃｈｅｎｘｉ  Ｚｈｕ、Ｄｏｒｉｎ  Ｖｉｏｒｅｌ、Ｊａｇａｎ  Ｓｅｓｈａｄｒｉ、Ｊｏｎａｔｈａｎ  Ａｇｒｅ、Ｗｅｉ−Ｐｅｎｇ  Ｃｈｅｎ、代理人管理番号１９７４．１００９、から分かる。これら出願は参照されることにより全体が本願明細書に組み込まれる。しかしながら、本発明は、前述の出願に記載されたネットワーク・スケジュールの生成方法に限定されない。
別の例は、名称「ＬＯＡＤ−ＢＡＳＥＤ  ＭＭＲ  ＮＥＴＷＯＲＫ  ＳＣＨＥＤＵＬＩＮＧ  ＡＬＧＯＲＩＴＨＭ  ＷＩＴＨ  ＦＲＥＱＵＥＮＣＹ  ＲＥＵＳＥ」、米国特許出願番号６０／８８４４６４、２００７年１月１１日出願、発明者Ｃｈｅｎｘｉ  Ｚｈｕ、Ｄｏｒｉｎ  Ｖｉｏｒｅｌ、Ｊａｇａｎ  Ｓｅｓｈａｄｒｉ、Ｊｏｎａｔｈａｎ  Ａｇｒｅ、Ｗｅｉ−Ｐｅｎｇ  Ｃｈｅｎ、代理人管理番号１９７４．１０１９Ｐ、である米国非仮出願、及び名称「ＲＥＵＳＥ  ＰＡＴＴＥＲＮ  ＮＥＴＷＯＲＫ  ＳＣＨＥＤＵＬＩＮＧ  ＵＳＩＮＧ  ＬＯＡＤ  ＬＥＶＥＬＳ」、本願明細書と同日出願、発明者Ｃｈｅｎｘｉ  Ｚｈｕ、Ｄｏｒｉｎ  Ｖｉｏｒｅｌ、Ｊａｇａｎ  Ｓｅｓｈａｄｒｉ、Ｊｏｎａｔｈａｎ  Ａｇｒｅ、Ｗｅｉ−Ｐｅｎｇ  Ｃｈｅｎ、代理人管理番号１９７４.１０１９から分かる。これら出願は参照されることにより全体が本願明細書に組み込まれる。しかしながら、本発明は、前述の出願に記載されたネットワーク・スケジュールの生成方法に限定されない。
【００４７】
本発明の種々の実施例は、方法及び装置を提供する。前記方法及び装置は、（ａ）無線ネットワークのセル・クラスター内の１つ以上の局のそれぞれは基地局又は中継局であり、前記１つ以上の局で生じる干渉レベルを測定し、（ｂ）前記１つ以上の局のそれぞれで生じる干渉雑音を有する第１のマトリックスを構築することにより、測定した干渉レベルをマッピングし、（ｃ）第２のマトリックスを構築することにより、各中継局によりそれぞれ所定時間にスケジュールされた送信をマッピングし、及び（ｄ）種々の時間点で前記第１のマトリックスを前記第２のマトリックスで乗算することにより、各中継局により各基地局に与えられる干渉雑音の影響を決定する。
【００４８】
本発明の種々の実施例は、方法及び装置を提供する。前記方法及び装置は、（ａ）電気電子技術者協会（ＩＥＥＥ）８０２．１６システムの１つ以上の局のそれぞれは基地局又は中継局であり、前記１つ以上の局で生じる干渉レベルを測定し、（ｂ）前記１つ以上の局のそれぞれで生じる干渉雑音を有する第１のマトリックスを構築することにより、測定した干渉レベルをマッピングし、（ｃ）第２のマトリックスを構築することにより、各中継局によりそれぞれ所定時間にスケジュールされた送信をマッピングし、及び（ｄ）前記第１のマトリックスを前記第２のマトリックスで乗算することにより、各中継局により各基地局に与えられる雑音干渉の影響を決定する。これにより、本発明の種々の実施例は、決定された干渉雑音の影響に基づき、ネットワーク・スケジュールを生成することが可能である。
【００４９】
本発明の種々の実施例は、（ａ）管理モードをスケジュールすること、（ｂ）１つ以上の局から個々のネットワーク干渉マッピング・パターンを送信すること、（ｃ）送信されたマッピング・パターンを受信すると、送信されたマッピング・パターンのそれぞれのバースト・パワーを測定すること、（ｄ）それぞれの局により送信されたバースト・パワーの測定に基づき、マッピング・パターンを送信する１つ以上の局のそれぞれで生じる干渉レベルを決定すること、が可能である。
【００５０】
本発明の種々の実施例は、方法及び装置を提供する。前記方法及び装置は、（ａ）別のセル・クラスターを定め、及び（ｂ）他のセル・クラスター内の１つ以上の局に対し、測定、第１のマトリックスの構築によるマッピング、第２のマトリックスの構築によるマッピング、及び決定を繰り返し、所定時間期間の後に１つ以上の新たなセル・クラスターが定められ、並びに、測定、第１のマトリックスの構築によるマッピング、第２のマトリックスの構築によるマッピング、及び決定は、無線ネットワークの全てのセルの全ての局で生じる干渉レベルが測定されるまで１つ以上の新たなセル・クラスター内の１つ以上の局に対し繰り返される。
【００５１】
本発明の種々の実施例は、ＩＥＥＥ８０２．１６の改正又は拡張を含むＩＥＥＥ８０２．１６ネットワークに適用可能である。しかしながら、本発明は、ＩＥＥＥ８０２．１６ネットワークに限定されず、他の種類のネットワークにも適用可能である。改正及び拡張を含むＩＥＥＥ８０２．１６規格は、参照されることにより本願明細書に組み込まれる。
【００５２】
同様に本発明の種々の実施例は、ＯＦＤＭＡに適用可能である。しかしながら、本発明は、ＯＦＤＭＡネットワークに限定されず、他の種類のネットワークにも適用可能である。
【００５３】
本発明の種々の実施例は、ネットワーク内の基地局及び中継局と通信する「移動」局に関し本願明細書に記載された。しかしながら、本発明は「移動」局に限定されない。むしろ、ネットワークは、基地局及び／又は中継局と通信する標準的に「加入者」局として参照される多くの異なる種類の局を有して良い。「移動」局は一種の「加入者」局である。
【００５４】
本発明の実施例によると、上述の方法、装置及びシステムは、無線ネットワーク（例えばＯＦＤＭＡネットワーク）で動作する異なる局（基地局又は中継局の何れか）の間のネットワーク間干渉を軽減し、それによりＣＩＮＲの悪化を最適化し、及び従って影響されるリンクでより高い符号化レートを使用可能にし、そして帯域効率が向上するとリンク毎のスペクトル効率を向上させ得る。
【００５５】
本発明のいくつかの好適な実施例が示され及び記載されたが、当業者は、請求項に範囲を定められた本発明及び本発明の等価物の原理及び精神から逸脱することなく、これら実施例に変更がなされ得ることを理解するだろう。
【００５６】
（付記１）  方法であって、
無線ネットワークのセル・クラスター内の１つ以上の局のそれぞれは基地局又は中継局であり、前記１つ以上の局で生じる干渉レベルを測定する段階、
前記１つ以上の局のそれぞれで生じる干渉雑音を有する第１のマトリックスを構築することにより、測定した干渉レベルをマッピングする段階、
第２のマトリックスを構築することにより、各中継局によりそれぞれ所定時間にスケジュールされた送信をマッピングする段階、及び
種々の時間で前記第１のマトリックスを前記第２のマトリックスで乗算することにより、各中継局により各基地局に与えられる干渉雑音の影響を決定する段階、を有する方法。
（付記２）  前記ネットワークは、電気電子技術者協会（ＩＥＥＥ）８０２．１６直交周波数分割多元接続（ＯＦＤＭＡ）システムである、付記１記載の方法。
（付記３）  前記測定する段階は、
管理モードをスケジュールする段階、
１つ以上の局から個々のネットワーク干渉マッピング・パターンを送信する段階、
送信されたマッピング・パターンを受信すると、送信されたマッピング・パターンのそれぞれのバースト・パワーを測定する段階、
個々の局により送信されたバースト・パワーの測定に基づき、マッピング・パターンを送信する１つ以上の局のそれぞれで生じる干渉レベルを決定する段階、を有する、付記１記載の方法。
（付記４）  前記ネットワーク干渉マッピング・パターンは、一定パワーを使用して送信される、付記３記載の方法。
（付記５）  前記管理モードは、所定の間隔でスケジュールされる、付記３記載の方法。
（付記６）  前記１つ以上の局のそれぞれで生じる測定された干渉レベルは、個々の平均バースト・パワーに基づき決定される、付記３記載の方法。
（付記７）  各ネットワーク干渉マッピング・パターンは、所定の周波数帯の１つのシンボルに定められ、及び
ネットワーク干渉マッピング・パターンを送信する各局は、固有の周波数帯を使用する、付記３記載の方法。
（付記８）  バースト・パワーの測定は、１つ以上の基地局又は１つ以上の上位中継局により実行される、付記３記載の方法。
（付記９）  ネットワーク干渉マッピング・パターンは送信され、次に１つのシンボルの無音ゾーンが続く、付記７記載の方法。
（付記１０）  前記無線ネットワークは、周波数及び時間が同期される、付記１記載の方法。
（付記１１）  別のセル・クラスターを定める段階、及び
他のセル・クラスター内の１つ以上の局に対し、測定、第１のマトリックスの構築によるマッピング、第２のマトリックスの構築によるマッピング、及び決定を繰り返す段階、を更に有する付記１記載の方法。
（付記１２）  １つ以上の新たなセル・クラスターは、所定時間期間の後に決定され、及び
１つ以上の新たなセル・クラスター内の１つ以上の局に対する前記測定、第１のマトリックスの構築によるマッピング、第２のマトリックスの構築によるマッピング、及び決定は、前記無線ネットワークの全てのセル内の全ての局で生じる干渉レベルが測定されるまで、繰り返される、付記１１記載の方法。
（付記１３）  前記ネットワークが輻輳していない場合、前記干渉レベルは周期的に測定される、付記１２記載の方法。
（付記１４）  前記干渉レベルは繰り返し測定され、及び所定時間期間に渡り平均される、付記１２記載の方法。
（付記１５）  方法であって、
電気電子技術者協会（ＩＥＥＥ）８０２．１６システムの１つ以上の局のそれぞれは基地局又は中継局であり、前記１つ以上の局で生じる干渉レベルを測定する段階、
前記１つ以上の局のそれぞれで生じる干渉雑音を有する第１のマトリックスを構築することにより、測定した干渉レベルをマッピングする段階、
第２のマトリックスを構築することにより、各中継局によりそれぞれ所定時間にスケジュールされた送信をマッピングする段階、及び
前記第１のマトリックスを前記第２のマトリックスで乗算することにより、各中継局により各基地局に与えられる干渉雑音の影響を決定する段階、を有する方法。
（付記１６）  装置であって、
無線ネットワークの１つ以上の局のそれぞれは基地局又は中継局であり、前記１つ以上の局で生じる干渉レベルを測定する手段、
前記１つ以上の局のそれぞれで生じる干渉雑音を有する第１のマトリックスを構築することにより、測定した干渉レベルをマッピングする手段、
第２のマトリックスを構築することにより、各中継局によりそれぞれ所定時間にスケジュールされた送信をマッピングする手段、及び
前記第１のマトリックスを前記第２のマトリックスで乗算することにより、各中継局により各基地局に与えられる干渉雑音の影響を決定する手段、を有する装置。
（付記１７）  システムであって、電気電子技術者協会（ＩＥＥＥ）８０２．１６ネットワークの干渉レベルに基づき再使用グループを生成し、前記システムは、
管理モードをスケジュールする手段、
１つ以上の局から個々のネットワーク干渉マッピング・パターンを送信する手段、
送信されたマッピング・パターンを受信すると、送信されたマッピング・パターンのそれぞれのバースト・パワーを測定する手段、
個々の測定されたバースト・パワーに基づき、マッピング・パターンを送信する前記１つ以上の局のそれぞれで生じる干渉レベルを決定する手段、
前記１つ以上の局のそれぞれで生じる干渉雑音を有する第１のマトリックスを構築することにより、決定された干渉レベルをマッピングする手段、
第２のマトリックスを構築することにより、各中継局により所定時間にスケジュールされた送信をマッピングする手段、
前記第１のマトリックスを前記第２のマトリックスで乗算することにより、各中継局により各基地局に与えられる干渉雑音の影響を決定する手段、及び
決定された干渉雑音の影響に基づき、ネットワーク管理エンティティにより、ネットワーク・スケジュールを生成する手段、を有し、
前記測定、第１のマトリックスの構築によるマッピング、第２のマトリックスの構築によるマッピング、及び決定は、別のセル・クラスター内の１つ以上の局により引き起こされる、セル・クラスター内の１つ以上の局で生じる干渉レベルに対し繰り返される、システム。
【図面の簡単な説明】
【００５７】
【図１】ＩＥＥＥ８０２．１６規格に従うＯＦＤＭＡネットワークで動作する基地局と中継局とを有する無線ネットワーク・トポロジーの「ハニカム」・セル・クラスターの例を図示する。
【図２】本発明の実施例による、無線ネットワークの１つ以上の局で生じる干渉レベルを測定し、第１及び第２のマトリックスを構築することにより、当該干渉レベル及び中継局にスケジュールされた送信をマッピングし、並びに各中継局により各基地局に与えられる干渉雑音の影響を決定する、方法のフローチャートを示す。
【図３】本発明の実施例による干渉レベルを測定する方法のフローチャートを示す。
【図４】セル・クラスター内のセルで動作する複数の中継局から送信されたＵＬ干渉音パターンの部分の例である。
【図５】本発明の実施例による、別のセル・クラスターを定め、手順の測定、マッピング及び決定を繰り返す方法のフローチャートを示す。
【図６】本発明の実施例による、全てのセルが手順の測定、マッピング及び決定を行うよう、無線ネットワーク・トポロジーで新たに定められたハニカム・セル・クラスターを示す図である。
【符号の説明】
【００５８】
１０  シンボル送信
２０  無音シンボル
１００  ハニカム・セル・クラスター
５００（ａ）−５００（ｆ）  無線ネットワークの全てのセル
ＲＳ０１−ＲＳ２１、ＲＳｋ、ＲＳｋ＋１、ＲＳｋ＋２  中継局
ＢＳ０１−ＢＳ０７  基地局
【図１】
2008118660.tif 000008
【図２】
2008118660.tif 000009
【図３】
2008118660.tif 000010
【図４】
2008118660.tif 000011
【図５】
2008118660.tif 000012
【図６】
2008118660.tif 000013